(57)【要約】【課題】照明装置の下方に位置する作業者が、調光操作部を無理なく操作しながら照明装置の設定作業を行うことができるとともに、感電等の危険性が回避できる安全性の高い照明装置を提供する。【解決手段】  ＬＥＤ光源１１１と、一端側（前端側）に照明灯の保持部が取り付けられ、他端側は傾斜面１５１をなす電源ケース１４０と、電源ケース１４０に収納されて、ＬＥＤ光源１１１を点灯させるとともにＬＥＤ光源の発光特性を変化させる発光制御部を含む点灯回路と、を備えたＬＥＤ照明装置において、傾斜面１５１の外表面に、ＬＥＤ光源１１１の発光特性を変化させるための操作部１７１ａが操作可能に設けられる。【選択図】図２
2016058171.tif 000002
【特許請求の範囲】
【請求項１】
ＬＥＤ光源を収納する照明灯と、
前記ＬＥＤ光源を点灯させ、制御する点灯回路を収納する電源ケースと、
を備えたＬＥＤ照明装置であって、
前記電源ケースは、一端側に前記照明灯を保持する照明灯保持部が取り付き、他端側に傾斜面を有し、前記傾斜面の外表面に前記ＬＥＤ光源を制御する操作部が設けられたことを特徴とするＬＥＤ照明装置。
【請求項２】
前記電源ケースは、他端側に取り付く後面カバーを備え、該後面カバーの他端側の面に前記傾斜面が形成されていることを特徴とする請求項１に記載のＬＥＤ照明装置。
【請求項３】
前記傾斜面は、前記電源ケースの下端から上端に向けて後ろ上がりに傾斜する面であることを特徴とする請求項１乃至請求項２に記載のＬＥＤ照明装置。
【請求項４】
前記後面カバーは、内部に収納空間を有することを特徴とする請求項２に記載のＬＥＤ照明装置。
【請求項５】
前記収納空間には、前記ＬＥＤ光源の発光特性を変化させる発光制御部が収納されていることを特徴とする請求項４に記載のＬＥＤ照明装置。
【請求項６】
前記発光制御部は、前記ＬＥＤ光源の明るさを調整する調光制御部を含むことを特徴とする請求項５に記載のＬＥＤ照明装置。
【請求項７】
前記調光制御部は、可変抵抗器を含むことを特徴とする請求項６に記載のＬＥＤ照明装置。
【請求項８】
前記発光制御部は、前記ＬＥＤ光源の発光色を変化させる調色制御部を含むことを特徴とする請求項５乃至請求項７に記載のＬＥＤ照明装置。
【請求項９】
前記傾斜面には、前記操作部の上方に位置して、前記傾斜面の上端部から後方に延伸する庇状の突出部が設けられていることを特徴とする請求項１乃至請求項８に記載のＬＥＤ照明装置。
【請求項１０】
前記後面カバーは、合成樹脂材料から一体成型されていることを特徴とする請求項２乃至請求項９に記載のＬＥＤ照明装置。
【発明の詳細な説明】
【技術分野】
【０００１】
本発明は、ＬＥＤを光源に使用したＬＥＤ照明装置に係わり、特に、天井面に配設された配線ダクトレールに取り付けられて使用されるＬＥＤ照明装置に関するものである。
【背景技術】
【０００２】
近年、環境意識の高まりから、照明分野において、省電力化に優れたＬＥＤ（Light Emitting Diode）を光源に使用したＬＥＤ照明装置が普及し、その用途も多様化している。例えば、商業施設や店舗の天井面に設置された配線ダクトレールに取り付けられ、展示物や展示商品などを、陰影を際立たせて効果的に照明する照明装置として、ＬＥＤを光源に使用したダクトレール用スポットライトなどが開発され使用されている。
【０００３】
最近は、このようなＬＥＤを光源に使用したダクトレール用スポットライトに対し、従来の白熱球を使用したダクトレール用スポットライトと同様、照明の明るさ（光量）を調節できる、即ち、調光の機能を有するものの需要が増加している。 
【０００４】
商業施設や店舗に設置された複数のダクトレール用スポットライトを、個々に調光する方式としては、商業施設や店舗の壁面などの操作し易い位置に設置された照明制御用パネルを操作して、配線ダクトレールに配された信号線を介して、個々のスポットライトに、それぞれの調光信号を送り調光する方式や、照明制御用パネルに代わる手元のリモコン装置から無線信号を飛ばして、個々のスポットライトに、それぞれの調光信号を送って調光制御する方式がある。また、スポットライト本体に備えられた調光操作部を手動で操作して、スポットライト１台ごとに調光する方式などがある。
【０００５】
一般的に、前者の照明制御用パネルやリモコン装置を用いる調光制御方式に対応したダクトレール用スポットライトは、制御するスポットライトの数が多い比較的大規模な商業施設や店舗において用いられ、後者の手動による調光方式に対応したダクトレール用スポットライトは、展示商品が比較的少数ながら、展示商品が頻繁に変更され、あるいは展示商品の場所や展示商品の数が頻繁に変更されるような店舗などで使用される例が多い。
【０００６】
このような状況の下で、手動による調光操作部を照明器具本体に備えたダクトレール用スポットライトがいくつか提案されている。例えば、特許文献１には、広角用レンズとこれに対応するＬＥＤ、および狭角用レンズとこれに対応するＬＥＤを備えた灯具と、照明光の配向を変更させるためにそれぞれのＬＥＤの光出力を増減（調光）させるようにＬＥＤに電力を供給する電源回路を収納した電源ケースとを備え、ＬＥＤの調光を行うための可変抵抗器の操作部を電源ケースの外側面に露出させた照明器具が、実施形態を説明する中で開示されている。
【先行技術文献】
【特許文献】
【０００７】
【特許文献１】特開２０１２−１４９８０号公報
【発明の概要】
【発明が解決しようとする課題】
【０００８】
特許文献１に開示された照明器具は、横長の直方体形状の電源ケースを有し、その長手方向の一端側（前方側）に灯具を保持するアーム部が取り付けられ、電源ケースの一側面に、電源ケース内に収納された手動調光のための可変抵抗器の操作部（図１に示されたスライドボリューム）が、外部に露出して付設されている。
【０００９】
通常のダクトレール用スポットライトは、照明光を任意の方向に向けられるよう照明灯部分（灯具）が水平方向にも垂直方向にも回転可能な構造を有している。手動の調光機能を備えたダクトレール用スポットライトを用いて展示商品を照明する場合は、配線ダクトレールの所定位置にダクトレール用スポットライトを固定した後、ダクトレール用スポットライトの照明灯部分を、水平方向回転と垂直方向（俯角）回転を組み合わせて、それぞれの回転角度を手動で調整し、ダクトレール用スポットライトから展示商品への照明角度を設定する。
その後、照明光量を設定するための調光操作を行えば、展示商品を照らすダクトレール用スポットライトとして使用可能な状態となる。
【００１０】
しかし、展示商品の照明効果（見映え）は、照明角度によってより良く見える照明の明るさが微妙に異なり、照明角度と照明光量を独立に設定できるものではない。実際のダクトレール用スポットライトの照明設定作業においては、照明角度と照明光量の設定が同時に行われる場合が多い。即ち、ダクトレール用スポットライトの照明角度と照明光量の設定作業者（一般的には、店舗の店員）は、片手で照明灯部分の回転角度を変化させて照明角度を調整しながら、目線は展示商品に向けて照明効果を確認しつつ、もう一方の手では調光操作部を操作するといった作業になる場合が多い。
このように、手動によるダクトレール用スポットライトの設定作業は難易度の高い作業である。
【００１１】
更に、一般的な店舗では、配線ダクトレールは天井面や天井面に近い壁面など、脚立を用いないと手が届かないような高所に配置されている場合が多い。したがって、手動によりダクトレール用スポットライトの設定を行う作業者は、ダクトレール用スポットライトの下方に位置して、両手を上方に伸ばしながら、前記の難易度の高い設定作業を行う必要がある。
【００１２】
調光操作部が、特許文献１に示された、電源ケースの床面に垂直な一側面側に付設されていると、ダクトレール用スポットライトの設定作業者は、その設定作業中に調光操作部を視野に入れておくことが難しいうえ、不自然な姿勢で電源ケースの一側面側に手を伸ばすことを強いられる場合も起こり、設定作業の作業効率が更に低下するという課題があった。
また、調光操作部を操作するはずの指が誤って通電中の配線ダクトレールの溝部に入り、配線ダクトレールに配設された導体に接触し感電してしまう危険性があるという課題があった。
【００１３】
本発明が解決しようとする課題は、上記の問題点に鑑み、照明装置の下方に位置する照明装置の設定作業者が、調光操作部を視野に入れながら無理のない姿勢で手動操作により照明装置の設定作業を行うことができるとともに、感電等の危険性がない安全性の高いＬＥＤ照明装置を提供することにある。
【課題を解決するための手段】
【００１４】
本発明は、上記の課題を解決するための第１の手段として、ＬＥＤ光源を収納する照明灯と、ＬＥＤ光源を点灯させ制御する点灯回路を収納する電源ケースと、を備えたＬＥＤ照明装置において、電源ケースは、一端側に照明灯を保持する照明灯保持部が取り付き、他端側に傾斜面を有し、傾斜面の外表面にＬＥＤ光源を制御する操作部が設けられたことを特徴とするＬＥＤ照明装置を提供するものである。
【００１５】
本発明は、上記の課題を解決するための第２の手段として、電源ケースは他端側に取り付く後面カバーを備え、後面カバーの他端側の面に傾斜面が形成されていることを特徴とするＬＥＤ照明装置を提供するものである。
【００１６】
本発明は、上記の課題を解決するための第３の手段として、傾斜面は電源ケースの下端から上端に向けて後ろ上がりに傾斜する面であることを特徴とするＬＥＤ照明装置を提供するものである。
【００１７】
本発明は、上記の課題を解決するための第４の手段として、後面カバーは内部に収納空間を有することを特徴とするＬＥＤ照明装置を提供するものである。
【００１８】
本発明は、上記の課題を解決するための第５の手段として、収納空間にはＬＥＤ光源の発光特性を変化させる発光制御部が収納されていることを特徴とするＬＥＤ照明装置を提供するものである。
【００１９】
本発明は、上記の課題を解決するための第６の手段として、発光制御部はＬＥＤ光源の明るさを調整する調光制御部を含むことを特徴とするＬＥＤ照明装置を提供するものである。
【００２０】
本発明は、上記の課題を解決するための第７の手段として、調光制御部は可変抵抗器を含むことを特徴とするＬＥＤ照明装置を提供するものである。
【００２１】
本発明は、上記の課題を解決するための第８の手段として、発光制御部はＬＥＤ光源の発光色を変化させる調色制御部を含むことを特徴とするＬＥＤ照明装置を提供するものである。
【００２２】
本発明は、上記の課題を解決するための第９の手段として、傾斜面には操作部の上方に位置して、傾斜面の上端部から後方に延伸する庇状の突出部が設けられていることを特徴とするＬＥＤ照明装置を提供するものである。
【００２３】
本発明は、上記の課題を解決するための第１０の手段として、後面カバーは合成樹脂材料から一体成型されていることを特徴とするＬＥＤ照明装置を提供するものである。
【発明の効果】
【００２４】
本発明によれば、上記のようにダクトレール用スポットライトの設定を行う作業者が、ダクトレール用スポットライトの下方に位置して、上方のダクトレール用スポットライトを見上げた姿勢で作業する場合であっても、調光操作部（操作つまみ）が、後方上がりに傾斜した電源ケースの後面カバーに取り付けられているので、調光操作部の位置や調整度合いを視認（目盛の読み取り）しやすく、かつ調整操作も容易に行うことができる実益がある。
【００２５】
また、ダクトレール用スポットライトの設定作業において、照明灯部分の角度調整と調光操作を同時並行して行う必要性から、操作部（操作つまみ）に目線が向かず、手指の感触だけを頼りに操作部を操作するような状況となっても、操作部の上方に庇状の突出部が設けられているので、手指が誤って配線ダクトに入って感電するような危険性は無く、安全にダクトレール用スポットライトの設定作業を行うことができる実益がある。
【図面の簡単な説明】
【００２６】
【図１】本発明の実施形態に係るＬＥＤ照明装置１００の構成例を示す斜視図である。
【図２】本発明の実施形態に係るＬＥＤ照明装置１００の構成例を一部分解して示す斜視図である。
【図３】本発明の実施形態に係るＬＥＤ照明灯１１０の構成例を示す分解斜視図である。
【図４】本発明の実施形態に係る後面カバー１５０の構成例を示す斜視図である。
【図５】本発明の実施形態に係る後面カバー１５０の構成例を示す斜視図である。
【図６】本発明の実施形態に係る後面カバー１５０の構成例を示す断面図である。
【図７】本発明の第２の実施形態に係るＬＥＤ照明装置２００の構成例を一部分解して示す斜視図である。
【図８】本発明の第２の実施形態に係わる後面カバー２５０の構成例を示す斜視図である。
【発明を実施するための形態】
【００２７】
以下、本発明による実施形態を、図を参照しながら説明する。ここでは、本発明のＬＥＤ照明装置の実施形態として、天井面に付設された配線ダクトレールに取り付けられて使用されるＬＥＤを光源とするダクトレール用スポットライトを具体例として採り上げて説明する。なお、ダクトレール用スポットライトの照明光は上方（天井側）から下方（床面側）に向けて照射されるものとする。なお、本実施形態は一例であり、これに限定されるものではなく、他の照明装置であってもよい。
【００２８】
（１．ダクトレール用スポットライトの構成）
はじめに、本発明の実施形態に係るＬＥＤ照明器具１００、ここでは具体例として採り上げるダクトレール用スポットライト５００（以下、スポットライト５００と記すことがある）の構成について説明する。
【００２９】
図１および図２は、本発明の実施形態に係るＬＥＤ照明器具１００、ここではスポットライト５００の構成を示す斜視図である。スポットライト５００は、横長の電源ケース１４０と、電源ケース１４０の内部に収納された、ここでは図示しない点灯回路から電力を受けて発光するＬＥＤ光源１１１（図３）を内蔵したＬＥＤ照明灯１１０と、電源ケース１４０の長手方向の一端側に取り付けられた照明灯保持部１３０と、照明灯保持部１３０に取り付けられて、ＬＥＤ照明灯１１０を支えるアーム部１２０と、から構成されている。
【００３０】
（１．１  電源ケース）
電源ケース１４０は、図１および図２に示すように、点灯回路を内部に収納する筺体である。導電率の高いアルミニウムやステンレス等の金属材料からなり、外観は、方形断面をもつ横長の角パイプに類似の形状をなし、パイプ状の長手方向の両端は開口している。
【００３１】
電源ケース１４０の内部には、ここでは図示しない内側ケースが収納され、点灯回路を構成する電子部品が実装された、ここでは図示しない点灯回路基板が、この内側ケースの内側に設置されている。内側ケースは、絶縁性材料からなる薄板が、電源ケース１４０の開口していない４面の側面内壁に沿うような形状に折り曲げられた略方形筒状のケースである。点灯回路を構成する電子部品や電線類は、絶縁性を有した内側ケースにより電源ケースと物理的に隔離されており、電源ケースと短絡する危険性がない。
【００３２】
点灯回路は、天井面あるいは天井面に近い壁面に配設された配線ダクトレール（図示せず）を介して外部から供給される商用電力を受けて、ＬＥＤ照明灯１１０に内蔵されたＬＥＤ光源１１１を点灯させるための電力を供給する。
より詳細には、点灯回路は、ＬＥＤ光源１１１に駆動電圧を供給する電源供給部と、ＬＥＤ光源に流れる電流を制御する電流制御部と、調光制御部を含んでいる。調光制御部は、ＬＥＤ光源の発光特性を変化させる発光制御部であって、可変抵抗器１７１によりＬＥＤ光源の発光強度を制御（調光）する。
【００３３】
後述するが、可変抵抗器１７１は電源ケース１４０の後面カバー１５０の内側に設けられた収納部１５４に収納され、可変抵抗器１７１の操作部である操作つまみ１７１ａが、後面カバー１５０の外壁面の１面である傾斜面１５１に操作可能に取り付けられている。
【００３４】
電源ケース１４０の上面は、ここでは図示しない配線ダクトレールへの取付面１４１となっている。この取付面１４１には、図１乃至図２に示すように、スポットライト５００を配線ダクトレールに着脱可能に保持させるための支持プラグ１４２が取り付けられている。支持プラグ１４２は、配線ダクトレールの溝部に係合する係合部１４２ｂ（レールロック用爪部）と、係合部１４２ｂと機械的に連結したレバー１４２ａを備えている。レバー１４２ａは、係合部１４２ｂと連動して取付面１４１と略平行な平面内で回転可能に取り付けられている。通常、レバー１４２ａは、係合部１４２ｂが配線ダクトレールの溝部に係合した状態にある場合のレバー位置（便宜的に第１角度位置と記す）、あるいは係合部１４２ｂが配線ダクトレールの溝部から完全に外れた状態にある場合のレバーの位置（便宜的に第２角度位置と記す）のいずれかの位置に設定される。
【００３５】
即ち、レバー１４２ａは、スポットライト５００を配線ダクトレールに設置して使用する場合は第１角度位置に設定される。このとき、レバー１４２ａに連動する係合部１４２ｂが配線ダクトレールの被係合部（図示せず）に係合し、スポットライト５００は配線ダクトレールに機械的に固定される。
スポットライト５００の使用を終え、スポットライト５００を配線ダクトレールから取り外す場合、レバー１４２ａは第２角度位置に設定される。このとき、レバー１４２ａに連動する係合部１４２ｂが配線ダクトレールの被係合部から外れ、スポットライト５００は配線ダクトレールから取り外すことができる。
【００３６】
レバー１４２ａは、前記のように第１角度位置、又は第２角度位置に設定されて使用され、第１角度位置と第２角度位置の中間位置に設定されて使用されることはない。
図１乃至図２では、取付面１４１の長手方向に、支持プラグ１４２が２個取り付けられているが、２個に限定されるものではなく、スポットライト５００が軽量であれば１か所に１個でもよく、逆に、スポットライト５００が重い場合は３個以上取り付けてもよい。
【００３７】
電源ケース１４０の取付面１４１にはラバーパッド１４４が付設されている。ラバーパッド１４４は弾力性を有したゴム材からなり、スポットライト５００を配線ダクトレールに固定した状態で、スポットライト５００と配線ダクトレールの間に挟まれて緩衝材として機能する。したがって、スポットライト５００の取付面１４１を配線ダクトレールに押圧してスポットライト５００を取り付けても、スポットライトと配線ダクトレールは双方ともに傷つくことはない。また、配線ダクトレールに取り付けられたスポットライト５００がぐらつく（即ち、ガタガタする）ことを防止することができる。
【００３８】
電源ケース１４０の取付面１４１には長手方向に沿って凸部１４３が設けられている。スポットライト５００を配線ダクトレールに取り付ける際、この凸部１４３を配線ダクトレールの下端に設けられた凸部（図示せず）に沿うように当接させると、電源ケース１４０の長手方向と配線ダクトレールの長手方向が、水平方向に角度ずれすることなく、略平行となる。凸部１４３は、この平行位置合わせのためのガイドとして機能する。
【００３９】
（１．２  照明灯保持部）
ＬＥＤ照明灯１１０の保持部である照明灯保持部１３０は、図１乃至図２に示すように、電源ケース１４０の長手方向の一端側（前面）に取り付けられている。照明灯保持部１３０は、スポットライト５００を電気的および機械的に配線ダクトレールに着脱可能に取り付けるための電源プラグ１３１を備えている。電源プラグ１３１は、端子１３１ａと係合部１３１ｂと、端子１３１ａおよび係合部１３１ｂに連結されて、端子１３１ａおよび係合部１３１ｂと連動して回転可能に取り付けられたプラグレバー１３１ｃを備えている。端子１３１ａは、電源プラグ１３１の先端側に設けられて、スポットライト５００が配線ダクトレールに固定されたとき、配線ダクトレールの導電部に接触して配線ダクトレールにスポットライト５００を電気的に接続する。
係合部１３１ｂは、端子１３１ａの下に位置して設けられ、前記の支持プラグ１４２に設けられた係合部１４２ｂと同様に、スポットライト５００を配線ダクトレールに機械的に固定する。
【００４０】
プラグレバー１３１ｃは、端子１３１ａおよび係合部１３１ｂと連動して、取付面１４１と略平行な平面内で回転可能に取り付けられている。通常、プラグレバー１３１ｃは、端子１３１ａおよび係合部１３１ｂが配線ダクトレールの溝部に係合した状態にある場合のレバー位置（便宜的に、第３角度位置とする）、又は、端子１３１ａおよび係合部１３１ｂが配線ダクトレールの溝部から完全に外れた状態にある場合のレバー位置（便宜的に、第４角度位置とする）のいずれかの位置に設定される。即ち、スポットライト５００を配線ダクトレールに固定して使用する場合は第３角度位置に設定され、使用を終えてスポットライトが配線ダクトレールから取り外される場合は第４角度位置に設定される。  第３角度位置と第４角度位置の中間位置に設定されて使用されることはない。
【００４１】
前記の支持プラグ１４２のレバー１４２ａと電極プラグ１３１のプラグレバー１３１ｃは連動していないため、配線ダクトレールにスポットライト５００を取り付ける際は、配線ダクトレールの溝部にスポットライト５００の支持プラグ１４２と電極プラグ１３１の両方を挿入した後、支持プラグ１４２のレバー１４２ａを第２角度位置から第１角度位置へ回転し、同様に電極プラグ１３１のプラグレバー１３１ｃを第４角度位置から第３角度位置へ回転する操作を、それぞれ別個に手動で行う必要がある。
なお、スポットライト５００を配線ダクトレールから取り外す場合は、この逆手順を行えばよい。
【００４２】
（１．３  ＬＥＤ照明灯）
ＬＥＤ照明灯１１０は、図３に示すように、ＬＥＤ光源１１１と、レンズ１１３と、バッフル１１４と、放熱部１１５と、アーム連結部１１６を含んで構成され、アーム部１２０の下端に保持されている。ＬＥＤ光源１１１は、放熱部１１５の一端側に取り付けられ、ここでは図示しない点灯回路から供給される電力を受けて点灯する。この点灯電力は、電源ケース１４０の内部に収納された点灯回路から出て、ＬＥＤ照明灯１００の電線挿通孔１１７からＬＥＤ照明灯１１０に入り、ＬＥＤ光源１１１に接続される電線（図示せず）によって供給されている。
【００４３】
放熱部１１５は、一端側に平坦面を有する略円形の光源支持板１１２が形成され、他端側には複数の放熱フィンが形成されている。光源支持板１１２の平坦面には、発光側が放熱フィンの形成側とは逆方向（前方向）を向くように、ＬＥＤ光源１１１が取り付けられている。ＬＥＤ光源１１１が発生する熱は、光源支持板１１２から放熱フィンに伝熱し、ここから外部環境に放熱される。
【００４４】
ＬＥＤ光源１１１の発光面側には、ＬＥＤ光源１１１が発する光を展示商品など被照明対象に向けて配光する機能を持つレンズ１１３が配置されている。レンズ１１３は放熱部１１５の光源支持板１１２の外縁部に固定されている。バッフル１１４は、ＬＥＤ照明灯１１０が発する照明光の配光角を決める機能を持つ。バッフル１１４は、両端が開口した円筒状をなし、一端側（後方側）開口は、光源支持板１１２の外縁部に固定されて光源支持板１１２によって塞がれている。バッフル１１４の他端側（前方側）開口は、ＬＥＤ光源１１１の発光側の開口であって、ＬＥＤ光源１１１の固定位置より発光面側の前方に位置しているので、この円形の開口縁によって実質的にＬＥＤ照明灯１１０の配光角が決められている。バッフル１１４の円筒状の側壁はＬＥＤ光源１１１やレンズ１１３の側面を外環境から機械的に保護している。また、円筒状側壁の内壁は、ＬＥＤ光源１１１から発して内壁に達した光を反射し、バッフル１１４の前方開口へ向ける機能も有している。
【００４５】
（１．４  アーム部）
アーム部１２０は、図１乃至図２に示すように、照明灯保持部１３０から下方に長く伸びるように取り付けられている。アーム部１２０の下端には第２連結部１２２が形成されており、ここでＬＥＤ照明灯１１０が支持されている。アーム１２３は、長手方向（縦方向）の中央部分が略角棒形状を成す。角棒状の部分より上部側は、ここでは図示しないが、略円柱状をなしており、照明灯保持部１３０の下部に設けられた孔から上方に向けて照明灯保持部１３０の内部まで挿入され、照明灯保持部１３０の内部で抜脱不能、且つ、アーム１２３の長手方向の中心軸回りに回転自在に支持されている。
なお、アーム１２３は、ＬＥＤ照明灯１１０を支持できる機械的強度が保証できる範囲で、角棒の一部をくり抜いて軽量化することができる。
【００４６】
アーム１２３の長手方向において、上部の円柱状部分と中央部の角棒状部分の境界部には、第１連結部１２１が形成されている。第１連結部１２１はリング状（図１）をなし、そのリング径が、照明灯保持部１３０の下部に設けられてアーム１２３の上部の円柱状部分が挿入される孔の径より大きいため、照明灯保持部１３０の下方から上方に向けてアーム１２３の上部を挿入する際、ストッパーとして機能する。
リング状である第１連結部１２１の側面に設けられた第１突起部１２１ａ（図１）を指でつまんで、第１連結部１２１を水平回転させれば、第１連結部１２１に連動してアーム１２３が回転し、アーム１２３の下端に保持されたＬＥＤ照明灯１１０が、天井面に対して水平方向に回転する。
【００４７】
アーム１２３の下端には第２連結部１２２が設けられている。第２連結部１２２はＬＥＤ照明灯１１０のアーム連結部１１６に連結されてＬＥＤ照明灯１１０を保持している。第２連結部１２２は、中心にピンを挿通できる挿通孔を有した略円柱形状（図１）をなしている。
ＬＥＤ照明灯１１０の発光面を前方に向けた配置で、第２連結部１２２の円形端面と、ＬＥＤ照明灯１１０の上部に設けられた略同一形状のアーム連結部１１６の円形とを対向させて位置ずれ無く当接させると、第２連結部１２２の挿通孔とアーム連結部１１６の挿通孔の位置が略一致し、１本の連結ピンで第２連結部１２２とアーム連結部１１６を連結することができる。前述した連結ピンとして、具体的には六角ボルト等にすれば、アーム部１２０の第２連結部１２２にＬＥＤ照明灯１１０を、挿通孔の中心軸１２２ｂ（図１）回り、即ち、天井面に対して垂直方向（俯角の方向）に回転可能に保持することができる。
【００４８】
以上のように、配線ダクトレールに固定された電源ケース１４０に対して、アーム部１２０に保持されたＬＥＤ照明灯１１０は、第１連結部１２１において水平方向に回転可能に取り付けられ、第２連結部１２２において垂直方向に回転可能に取り付けられている。
【００４９】
（１．５  後面カバー）
一端側（前面側）に照明灯保持部１３０が取り付けられた電源ケース１４０の他端側（後面側）には、図２に示すように、後面カバー１５０が取り付けられている。後面カバー１５０は、図４乃至図６に示すように、単なる板状ではなく、内部に収納空間である収納部１５４を有している。
【００５０】
後面カバー１５０は、電源ケース１４０の後面開口部１４６（図２）と対向する一端側（前方側）に連結開口部１５３（図５）を有している。他端側（後方側）には、下方から上方に向けて後方上がりに傾斜した傾斜面１５１（図６）が形成されている。即ち、電源ケース１４０に後面カバー１５０が取り付けられた状態で後面カバー１５０を側面視して、他端側は下方から上方に向けて後方上がりに傾斜し、上辺の長さが下辺の長さより長くなっている。ここでは、下辺から上辺に向かう傾斜角（仰角）は略４５°に形成されている。
【００５１】
後面カバー１５０の上面には、後面カバー１５０の上面と傾斜面１５１の上端が交わる点から更に後方に突出するように、庇状の突出部１５７が設けられている。
突出部１５７は、調光のための手動操作部である操作つまみ１７１ａの上部に位置しており、後述するが、スポットライト５００を配線ダクトレールに固定し、スポットライト５００が発する照明光の設定作業を行う際、設定作業者の安全性（感電防止）を確保することに役立つ。
【００５２】
後面カバー１５０は、図６の断面図に示すように、内部に収納部１５４を有し、この収納部１５４には、ＬＥＤ光源１１１の発光強度を制御（調光）する調光制御部の構成部品の一つである可変抵抗器１７１が収納されている。
また、この可変抵抗器１７１を可変させるための手動操作部である操作つまみ１７１ａが、後面カバー１５０に形成された傾斜面１５１の外表面に、操作可能に取り付けられている。
【００５３】
操作つまみ１７１ａが取り付けられた面が、床面に垂直な面ではなく傾斜した面であることから、スポットライト５００の設定作業者は、スポットライト５００を見上げる姿勢であっても、操作つまみ１７１ａの位置や設定レベル（つまみの設定角）が視認し易く、更に、傾斜した面に取り付けられた操作つまみ１７１ａを指でつまむことも容易なため、調光のための作業が容易となり、スポットライトの設定作業を効率よく行うことができる。
なお、操作つまみ１７１ａは、指でつまんで操作することが容易なロータリー式の操作つまみを実施例において図示したが、スライド式の操作部を用いてもよく、傾斜面１５１に取り付けられることにより視認性と操作性の改善が期待できる。
【００５４】
操作つまみ１７１ａが取り付けられた傾斜面１５１には、略円柱状をなす操作つまみ１７１ａの円形外周に沿って、操作つまみ１７１ａの設定レベルが判断し易いように、時計回りが増加方向であることを示唆する標示１５１ｂ（図４）を形成してもよい。
【００５５】
電源ケース１４０に、後面カバー１５０を取り付ける際は、先ず、電源ケース１４０に収納された、ここでは図示しない点灯回路の電流制御部から引き出された少なくとも２本の電線１７２（図５）を可変抵抗器１７１の端子１７１ｃに接続する。その後、後面カバー１５０の傾斜面１５１の所定位置に設けられた挿通孔１５１ａに、可変抵抗器１７１の軸１７１ｂを収納部１５４側から挿入し、傾斜面１５１の外表面側に突き出た軸１７１ｂを所定のナットで固定する。その後、軸１７１ｂに操作つまみ１７１ａを取り付ける。
【００５６】
最後に、後面カバー１５０の連結開口部１５３の４隅に設けられた固定孔１５６と、電源ケース１４０の対向する位置に設けられたボス孔を用いて、可変抵抗器１７１が取り付けられた後面カバー１５０を電源ケース１４０にねじで固定する。
このとき、電源ケース１４０の後面開口部１４６と、後面カバー１５０の連結開口部１５３が位置ずれすること無く対向するように位置合わせする必要がある。後面カバー１５０の連結開口部１５３には、図５に示すように、開口の４辺の内側から、上部ガイド１５５ａと下部ガイド１５５ｂと両側面からは側部ガイド１５５ｃが突出して設けられており、これらのガイドを電源ケース１４０の後面開口部１４６の上下および両側面の計４面の内壁に嵌入させれば、電源ケース１４０と後面カバー１５０は正しく位置合わせされる。
【００５７】
以上のように、電源ケース１４０は、後面カバー１５０が取り付けられた状態で、後面が傾斜した横長の箱型形状となる。なお、後面カバー１５０の傾斜面１５１の傾斜角度は、電源ケースの下面を基準に仰角で４５°としたことを説明したが、必ずしも４５°である必要はなく、作業者の作業性やスポットライトは小型である方が望ましいといった観点から、傾斜角は４５°±２５°の範囲であることが好ましい。
【００５８】
ＬＥＤ照明灯１１０の明るさは、ＬＥＤ光源１１１に供給する電力をロータリー式の操作つまみ１７１ａによる可変操作で、手動で設定している。ＬＥＤ光源１１１の明るさが最大となる供給電力を１００％としたとき、可変抵抗器１７１を用いて可変できる供給電力は、５％から１００％の広範囲に変化可能（調整可能）とした。即ち、ＬＥＤ光源１１１は、５％から１００％で変化する供給電力に応じてその明るさが変化することになる。
【００５９】
ロータリー式の操作つまみ１７１ａは、時計回りに回転させるとＬＥＤ光源１１１への供給電力が増加し、反時計回りに回転させると供給電力が減少する。操作つまみ１７１ａの回転角範囲は、略３００°とした。操作つまみ１７１ａは、傾斜面１５１に、天井方向（上方）を回転範囲の中点として、±１５０°の範囲で回転操作可能に取り付けられている。操作つまみの回転位置（設定位置）が見易いように設けた標示１５１ｂも、操作つまみ１７１ａの取り付け位置に合わせて、天井方向（上方）を回転範囲の中点として、±１５０度の位置に形成されている。
なお、ＬＥＤ光源１１１は供給電力と明るさが必ずしも直線近似できる関係性を有しないため、標示１７１ｂは、明るさの比率を正確に示すものではなく、あくまでも目安である。
【００６０】
なお、電力供給の調整範囲は５％から１００％の広範囲であり、操作つまみ１７１ａの回転角は３００°としたことを説明したが、これに限定されるものではなく、例えば、明るさを高精度に調整することを希望する場合は、操作つまみ１７１ａが２回転する、即ち、７２０°の回転角で微細に供給電力を調整可能な可変抵抗器１７１を用いることや、ＬＥＤ光源１１１の明るさを大きく落とす必要がない場合に、供給電力の調整範囲を、例えば５０％から１００％に設定するなどの変更は、スポットライト５００の用途に合わせて適宜実施することができる。
【００６１】
前述したように、スポットライト５００の取り付けおよび設定を行う作業者が、スポットライト５００の下方に位置して、目線は展示商品に向けたまま、ＬＥＤ照明灯１１０や調光操作部である操作つまみ１７１ａを、手指の感触だけを頼りに操作する状態となった場合、操作部つまみ１７１ａを操作するはずの指が、誤って通電中の配線ダクトレールの溝部に入り、配線ダクトレールに配設された導体に接触し感電する危険性があった。この危険性を回避するため、後面カバー１５０には、操作つまみ１７１ａの上方に位置し、即ち操作つまみと配線ダクトレールの間に位置するように、庇状の突出部１５７が形成されている。
【００６２】
庇状の突出部１５７は、傾斜面１５１の上端から後方に略１５ｍｍ、後方に延伸するように形成されている。ただし、延伸の長さは１５ｍｍに限定されるものではなく、操作つまみ１７１ａを操作するときに手指が動く可能性のある範囲において、上方がカバーされていればよく、傾斜面１５１の上端から後方に５ｍｍから４５ｍｍの範囲であることが望ましい。
【００６３】
庇状の突出部１５７の幅は、電源ケース１４０の取付面１４１の幅と略同一となっている。ただし、突出部１５７の幅は必ずしもこれに限定されるものではなく、取付面１４１の幅より広くしても、または狭くてもよいが、最大幅部は外観上、電源ケース１４０の幅と略同一であると見栄えがよい。また、最小幅部は、突出部１５７と配線ダクトレールの間の隙間に指が誤って入ることが無い程度に狭くなればよく、配線ダクトレールの溝幅より大きいことが望ましい。
【００６４】
庇状の突出部１５７の厚さは、傾斜面１５１の上端部で略３ｍｍとし、後方に向けて僅かに先細りとなる形状に形成されているが、３ｍｍに限定されるものではなく、操作つまみ１７１ａを操作するときに手指が接触する程度の低い圧力に対して破損や変形が起こらない程度の機械的強度が保障されれば、適宜変更してもよい。
【００６５】
後面カバー１５０は、ポリカーボネート（ＰＣ）などの絶縁性の高い熱可塑性合成樹脂材料を用いて一体成型により製作することができる。また、後面カバー１５０はアルミニウムなどの金属材料を用いてダイキャストなどの方法で一体成型することも可能である。後面カバー１５０が金属製であれば、スポットライト５００の重量が重くなる嫌いはあるが、スポットライト５００が店舗の窓際に設置されて太陽光を浴びることがあっても、樹脂のような紫外線による劣化が起こらない利点がある。
【００６６】
ここまでは、調光機能を備えたスポットライト５００について実施の形態を説明したが、食料品販売店舗において、赤色の光強度を増して肉類の赤身の鮮やかさをアピールしたり、赤と青の光強度を増して魚の鮮度をアピールしたり、また、緑の光強度を増して野菜の鮮度をアピールするなどの使用形態を１台のスポットライト５００で実現できるような、いわゆる調色機能を備えたスポットライト５００の需要も高まっている。
以下、調光機能に加えて調色機能を備えたスポットライト５００について、後面カバーに関する第２の実施例を示す。
【００６７】
ＬＥＤ光源２１１の発光特性の一つである発光色を、手動による操作で変更する方法として、ＬＥＤ光源に含まれる少なくとも２色以上のＬＥＤ素子に対して、特定の発光色が強調されるように、それぞれのＬＥＤ素子に供給する電力をあらかじめ決定しておき、その特定の設定を、切り替えスイッチ２７２で選択する方法がある。
調光機能に加えて調色機能も備え、更に、調光と調色の設定操作を前述の方法で手動で行うことができるスポットライト５００を実現する場合には、図７乃至図８に示すように、調光のための操作つまみ２７１ａに加えて、調色のための切り替えスイッチ２７２の操作つまみ２７２ａを、スポットライト５００の後面カバー２５０に新たに付設する必要がある。
【００６８】
ここでは、調色機能を備えるために必要なＬＥＤ光源２１１の構成や点灯回路の構成についての説明は省くが、調色のための操作つまみ２７２ａと調光のための操作つまみ２７１ａとを電源ケース２４０の後面カバー２５０の収納部に取り付け、後面カバー２５０の傾斜面２５１に併設して操作可能に取り付けることができる。
なお、ここでは調色のための操作つまみ２７２ａと調光のための操作つまみ２７１ａを横方向に併設した例を図示したが、縦方向に配設することも可能である。
【００６９】
（２.  配線ダクトレールへのスポットライトの着脱操作）
以下では、配線ダクトレールへのスポットライト５００の着脱作業について簡単に説明する。
スポットライト５００の着脱作業を行う作業者は、先ず、配線ダクトレールの下方から、電源ケース１４０の取付面１４１が上方に向くようにスポットライト５００を手で持ち、電源ケース１４０の長手方向を配線ダクトレールの長手方向に合わせるようにスポットライト５００を上方に持ち上げながら、支持プラグ１４２と電極プラグ１３１を配線ダクトレールの下面に設けられた溝部に挿入する。
【００７０】
支持プラグ１４２と電極プラグ１３１が、どちらも配線ダクトレールの溝部に正しく挿入された後、作業者は、支持プラグ１４２のレバー１４２ａを反時計まわりに前述した第１角度位置へ、電極プラグ１３１のプラグレバー１３１ｃを反時計まわりに前述した第３角度位置まで回す。この回転操作により、支持プラグ１４２は、係合部１４２ｂがレバー１４２ａに連動して回転し、配線ダクトレールの被係合部（図示せず）に係合される。
【００７１】
電極プラグ１３１は、端子１３１ａがプラグレバー１３１ｃに連動して回転し、配線ダクトレールの導電部に接触して電源ボックス１４０に収納された点灯回路への給電が可能となる。また、電極プラグ１３１の係合部１３１ｂもプラグレバー１３１ｃに連動して回転し、配線ダクトレールの被係合部に係合される。
以上の作業により、スポットライト５００は、配線ダクトレールに電気的および機械的に固定される。
【００７２】
スポットライト５００を配線ダクトレールから取外す作業は、基本的に前述した取付け作業を逆手順で行えばよい。即ち、作業者はスポットライト５００を、落下しないように手で支えながら、支持プラグ１４２のレバー１４２ａを時計まわりに前述の第２角度位置まで回し、電極プラグ１３１のプラグレバー１３１ｃを時計まわりに前述の第４角度位置まで回す。この操作により、支持プラグ１４２はレバー１４２ａに連動して回転し、係合部１４２ｂが配線ダクトレールの被係合部から外れて非ロック状態となる。また、電極プラグ１３１はプラグレバー１３１ｃに連動して回転し、係合部１３１ｂが配線ダクトレールの被係合部から外れて非ロック状態となり、端子１３１ａも配線ダクトレールの導電部との接触が解除され非給電状態となる。
【００７３】
支持プラグ１４２と電極プラグ１３１が全て非ロック状態になった後、作業者は、スポットライト５００を手で支えながら取外し方向（即ち、下方）へ移動させると、配線ダクトレール２００からスポットライト５００を取り外すことができる。
【００７４】
（３.  スポットライトの照明光の設定作業）
配線ダクトレールは、店舗の天井や天井近くの壁面に設置されている場合が多い。スポットライト５００は、この配線ダクトレールに取り付けられるため、固定位置が場所も高さも限定され、店舗内で任意の位置に固定できるわけではない。一方、展示商品の展示位置は、店舗内のあらゆる場所が選択される可能性がある。そのため、スポットライト５００を使用して展示商品を照明しようとする際には、先ず、配線ダクトレールの位置と展示商品の位置関係を考慮して、配線ダクトレールのどの位置にスポットライト５００を固定するかを決定する必要がある。
【００７５】
通常のスポットライト５００は、そのＬＥＤ照明灯１１０部分が水平方向にも垂直方向にも回転自在な構造を有しているので、配線ダクトレールの所定位置にスポットライト５００を固定した後、展示商品がより効果的に見えるように、スポットライト５００のＬＥＤ照明灯１１０部分を、水平方向の回転操作と垂直方向（俯角）の回転操作を組み合わせて角度を調整し、展示商品への照明角度を手動で設定する。更に、手動の調光操作部を備えたスポットライト５００を使用する場合は、調光操作部を操作してスポットライト５００の明るさを設定する。
【００７６】
しかし、展示商品の照明効果（見映え）は、照明の明るさと照明角度によって微妙に変化するため、最適な照明の明るさと最適な照明角度は独立に設定できるものではなく、通常は照明の明るさと照明角度を同時に変化させながらスポットライト５００の設定を行う場合が多い。したがって、スポットライト５００の設定作業では、作業者はＬＥＤ照明灯１１０を手で持って照明角度を変化させながら、展示商品への照明効果を確認するために目線は展示商品に向けたまま、同時に電源ケース１４０の後面カバー１５０に取り付けられた調光のための操作つまみ１７１ａも操作することになる。
一般的な店舗では、配線ダクトレールは天井面や天井面に近い壁面など、脚立を用いないと手が届かないような高所に配置されていることが多い。したがって、スポットライト５００の設定作業者は、スポットライト５００の下方から上方を見上げた姿勢で、手を上方に伸ばしながらの作業となる。
【００７７】
しかし、スポットライト５００の調光操作部である操作つまみ１７１ａが、電源ケース１４０の後端から後方上がりに傾斜した後面カバー１５０の傾斜面１５１に取り付けられているので、操作つまみが電源ケースの垂直な側面の片側に取り付けられている場合に比べて、作業者は、例え、スポットライト５００の下方に位置して上を見上げながら、手を上方に伸ばした姿勢をとっていても、操作つまみ１７１ａを視野に入れやすく、また、操作つまみ１７１ａを指で摘まんで操作する作業を無理なく簡単に行うことができる。
【００７８】
また、後面カバー１５０の上端部から、後方に延伸して庇状の突出部１５７が設けられている。この突出部１５７は、操作つまみ１７１ａの上方に位置し、その幅が配線ダクトレールの溝部の幅より幅広いため、実質的に配線ダクトレールの溝部を下から隠した状態になっている。したがって、スポットライト５００の設定作業者が、目線を操作つまみ１７１ａから離して展示商品を見たまま、手指の感触だけを頼りに操作つまみ１７１ａを操作するような場合であっても、通電中の配線ダクトレールの溝部に指が入り、配線ダクトレールに配設された導体に接触し感電する危険性はない。
【００７９】
以上のように、本実施形態では、ダクトレール用のスポットライト５００の設定を行う作業者が、上方のスポットライト５００の下方に位置して、スポットライト５００を見上げた姿勢で作業する場合であっても、設定作業を安全かつ容易に行うことができ、設定作業の作業効率が向上する。
【００８０】
以上、この発明の実施の形態を説明したが、この発明は、これらの実施の形態に限られるものではなく、この発明の要旨を逸脱しない範囲の設計変更があっても本発明に含まれる。即ち、当業者であれば、当然なし得る各種変形、修正もまた本発明に含まれる。
【産業上の利用可能性】
【００８１】
本発明は、商業施設や店舗において、展示物や展示商品を陰影を際立たせて効果的に照明する照明装置として、広く適用することができる。
【符号の説明】
【００８２】
１００、２００  ＬＥＤ照明装置
１１０、２１０  ＬＥＤ照明灯
１１１、２１１  ＬＥＤ光源
１１３  レンズ
１１４  バッフル
１１５  放熱部
１１６  アーム連結部
１２０、２２０  アーム部
１２１  第１連結部
１２１ａ  第１突起部
１２２  第２連結部
１２２ｂ  中心軸
１２３  アーム
１３０、２３０  照明灯保持部
１３１  電極プラグ
１３１ａ  端子
１３１ｂ  係合部
１３１ｃ  プラグレバー
１３３  電源ケース連結部
１４０、２４０  電源ケース
１４１  取付面
１４２  支持プラグ
１４２ａ  レバー
１４２ｂ  係合部
１４３  凸部
１４４  ラバーパッド
１４５  前面開口部
１４６  後面開口部
１５０、２５０  後面カバー
１５１、２５１  傾斜面
１５１ａ  挿通孔
１５１ｂ  標示  
１５２  カバー側面
１５３  連結開口部
１５４  収納部
１５５  ケース連結部
１５５ａ  上部ガイド
１５５ｂ  下部ガイド
１５５ｃ  側部ガイド
１５６  固定孔
１５７  突出部
１７１  可変抵抗器
１７１ａ  操作つまみ
１７１ｂ  軸
１７１ｃ  端子
１７２  電線
２７１  可変抵抗器
２７１ａ  操作つまみ
２７２  切り替えスイッチ
２７２ａ  操作つまみ
５００  ダクトレール用スポットライト（スポットライト）
【図１】
2016058171.tif 000003
【図２】
2016058171.tif 000004
【図３】
2016058171.tif 000005
【図４】
2016058171.tif 000006
【図５】
2016058171.tif 000007
【図６】
2016058171.tif 000008
【図７】
2016058171.tif 000009
【図８】
2016058171.tif 000010